(57)【要約】【課題】携帯電話等の各種家電製品に用いられるガラスディスプレイ板等のホログラム処理方法、及びガラスディスプレイ板を提供する。【解決手段】本発明のホログラム処理方法は、ガラスディスプレイ板１の裏面に文字や絵柄を施す装飾部２を除いて印刷する第一の工程と、前記装飾部２に透明インキ５を印刷する第二の工程と、８０〜１２０℃で焼き付けした後、２０〜３６時間放置する第三の工程と、１８０〜２５０℃に設定したホットスタンプ機にて前記装飾部と略同一の平面形状にホログラム処理７を行う第四の工程と、からなる。【選択図】図１
2008116712.tif 000002
【特許請求の範囲】
【請求項１】
ガラスディスプレイ板の裏面に文字や絵柄を施す装飾部を除いて印刷する第一の工程と、前記装飾部に透明インキを印刷する第二の工程と、８０〜１２０℃で焼き付けした後、２０〜３６時間放置する第三の工程と、１８０〜２５０℃に設定したホットスタンプ機にて前記装飾部と略同一の平面形状にホログラム処理を行う第四の工程と、からなることを特徴とするホログラム処理方法。
【請求項２】
ガラスディスプレイ板の画像表示部の端部にホログラム処理した装飾部を形成することを特徴とする請求項１のホログラム処理方法。
【請求項３】
前記請求項１に記載のホログラム処理方法により、画像表示部の端部にホログラム処理した装飾部を形成したことを特徴とするガラスディスプレイ板。
【発明の詳細な説明】
【技術分野】
【０００１】
本発明は、携帯電話等の各種家電製品に用いられるガラスディスプレイ板等のホログラム処理方法、及びガラスディスプレイ板に関する。
【背景技術】
【０００２】
携帯電話等の各種家電製品に用いられるガラスディスプレイ板は、樹脂製の本体に組み付けられて固定されている。
このガラスディスプレイ板は、全面が画像表示部ではなく、裏印刷等により黒枠を形成する四辺の内側が画像表示部となっていることが多く、黒枠の外側には各種メーカーのロゴや製品名等が例えば白色や銀色等の黒枠に対して高いコントラストを有する配色にて形成されている。
【０００３】
一方、ホログラムは、ＩＣカード等の各種カード類に偽造防止の目的で用いられていたが、近年では、玩具としてのカード（トレーディングカード）の表面に施されるほどに装飾方法として広く適用されている。
【発明の開示】
【発明が解決しようとする課題】
【０００４】
そこで、本発明は、前記のガラスディスプレイ板における装飾として、好適に用いることができるホログラム処理方法を提案することを目的とする。
【課題を解決するための手段】
【０００５】
本発明は上記に鑑み提案されたもので、ガラスディスプレイ板の裏面に文字や絵柄を施す装飾部を除いて印刷する第一の工程と、前記装飾部に透明インキを印刷する第二の工程と、８０〜１２０℃で焼き付けした後、２０〜３６時間放置する第三の工程と、１８０〜２５０℃に設定したホットスタンプ機にて前記装飾部と略同一の平面形状にホログラム処理を行う第四の工程と、からなることを特徴とするホログラム処理方法に関するものである。
【０００６】
また、本発明は、前記のホログラム処理方法において、ガラスディスプレイ板の画像表示部の端部にホログラム処理した装飾部を形成することを特徴とするホログラム処理方法をも提案する。
【０００７】
さらに、本発明は、透明基板はガラスディスプレイ板であって、前記のホログラム処理方法により、画像表示部の端部にホログラム処理した装飾部を形成したことを特徴とするガラスディスプレイ板をも提案する。
【発明の効果】
【０００８】
本発明のホログラム処理方法は、携帯電話等の各種家電製品に用いられるガラスディスプレイ板に容易にホログラム処理を施した装飾部を形成することができ、装飾表示する面積を拡大することなく多大な装飾効果を与えることができる。
【０００９】
そして、前記ホログラム処理方法により作製される本発明のガラスディスプレイ板は、例えばメーカーのロゴや製品名、製品の愛称などの装飾部がホログラムにて飾ったもの、すなわち七色の光を帯びたものとすることができ、消費者等に対して装飾部に表示したメーカー名や製品名を強く印象づけることができる。
【発明を実施するための最良の形態】
【００１０】
本発明は、携帯電話や各種モニター等のガラスディスプレイ板を備える各種家電製品に適用されるものであって、例えば裏面側に液晶が積層されるガラスディスプレイ板の画像表示部の端部にホログラム処理を施した装飾部を形成するものである。
【００１１】
したがって、本発明におけるガラスディスプレイ板とは、各種家電製品に用いられているアクリルガラス等の各種ガラスを指すものであり、適宜に密着向上のための表面処理を裏面側に施したもの等を用いることもできる。
【００１２】
本発明における第一の工程では、ガラスディスプレイ板の裏面に文字や絵柄を施す装飾部を除いて印刷する。尚、この文字や絵柄を施す装飾部とは、メーカーのロゴや製品名、製品の愛称などを施す部分を指すものであって、液晶等により画像が表示される画像表示部とは異なるものであって、この画像表示部を備えるガラスディスプレイ板では、この第一の工程にて、画像表示部も装飾部と同様に印刷を施さない。
この第一の工程では、装飾部の外側に黒枠を設けるための印刷を施すものであって、画像表示部を形成する場合には、その外側にも黒枠を設ける。
ここで用いられる印刷インキとしては、前記ガラスディスプレイ板の裏面と良好な密着を示すものであれば、特に限定するものではなく、公知の印刷インキを適用することができる。
【００１３】
本発明における第二の工程では、前記第一の工程で印刷しなかった装飾部に透明インキを印刷する。尚、この透明インキは、無色透明でもよいし、無色透明でなくても光を透過できる程度の透明性を有しておればよく、各種の色彩のインキを用いることができる。
この第二の工程では、前記装飾部に印刷するものであって、当該空白部分と略同一の平面形状に透明インキを印刷してもよいし、それより大きく（広く）印刷してもよく、最終的にはメーカーのロゴや製品名、製品の愛称などを施す装飾部に相当するものであり、ホログラム処理が施される内面部分を形成するものである。
ここで用いられる印刷インキとしても、前記第一の工程に用いられた印刷インキと基本的成分は同じものでよく、黒顔料を添加しない以外は、公知の印刷インキの透明タイプを適用することができる。
【００１４】
本発明における第三の工程では、８０〜１２０℃で焼き付けした後、２０〜３６時間放置する。
なお、焼付け温度が８０℃未満である場合には、インキが硬化せずホットスタンプでの熱に絶えられず、透明インキが沸騰して泡状になってしまう。また、焼付け温度が１２０℃を超えた場合には、ガラス専用のインキではない為に透明インキが濁ってしまい、ホログラムの光が出なくなってしまう。
また、放置時間が２０時間に満たない場合には、透明インキ中の溶剤分が抜けきらずスタンプの熱でガスが発生し、白い泡状の物が浮き出てきてしまう現象が生ずる。放置時間が３６時間を超える場合には、透明インキの表面が硬化しすぎてスタンプ作業時箔の密着が悪くなってしまう。
【００１５】
本発明における第四の工程では、１８０〜２５０℃に設定したホットスタンプ機にて前記第一の工程で印刷しなかった部分（装飾部）と略同一の平面形状にホログラム処理を行う。ホットスランプの設定温度が１８０℃未満である場合には、被写体に密着しない。２５０℃を超える場合には、ホログラムに焼けが出てしまい七色の光を出さなくなる。
ここで用いられるホログラム処理としては、公知のホットスタンプ式のホログラム処理を適用することができ、特に限定するものではなく、微細な凹凸形状を有するホログラム層が転写される（新たな層が付加される）タイプのものと、表面に微細な凹凸形状を転写させる（新たな層は付加されない）タイプがあるが、特に限定するものではない。
【００１６】
こうして得られる本発明のガラスディスプレイ板は、装飾部として、メーカーのロゴや製品名などをホログラムにて飾って施したものとすることができ、携帯電話やモバイル等の小型家電は勿論、テレビ等の大型ディスプレイを有する家電製品にも利用することができるものである。
そして、このガラスディスプレイ板は、メーカーのロゴや製品名などが、七色の光を帯びて、視覚的に大きな印象を与えるものとなる。
【実施例１】
【００１７】
図１（ａ），（ｂ）に示すように、第一の工程として、携帯用アクリルガラスディスプレイ板１の裏面（図中では上面）に文字や絵柄を施す装飾部２、及び画像表示部３を除いて黒枠の印刷４を施した。
【００１８】
続いて、図１（ｃ）に示すように、第二の工程として、前記第一の工程で印刷しなかった装飾部２，画像表示部３に無色の透明インキ５を印刷した。尚、ここでは画像表示部３が形成されているために装飾部２にも同様に無色の透明インキ５を印刷したが、装飾部２には、必ずしも無色透明インキでなくても光を透過できる程度の透明性を有しておればよく、各種の色彩を有する透明インキを用いてもよい。
【００１９】
その後、第三の工程として、８０〜１２０℃で３０分焼き付けした後、約２４時間放置した。
【００２０】
そして、図１（ｄ）に示すように、第四の工程として、２００℃に設定したホットスタンプ機６にて装飾部２と略同一の平面形状にホログラム処理を行った。尚、図中、７は、ホットスタンプにて転写されたホログラム層を表すものである。
【００２１】
このような第一〜第四の工程により得られたガラスディスプレイ板１は、画像表示部３の下方に文字や絵柄を施した装飾部２が形成され、この装飾部２の裏面側にホログラム層７が形成されている。そのため、装飾部２を構成するホログラム及び透明インキ、すなわち文字や絵柄が七色の光を帯びて視覚的に大きな印象を与えるものとなった。
【００２２】
本発明を図面の実施例に基づいて説明する。尚、本発明は実施例に限定されるものではなく、特許請求の範囲に記載の構成を変更しない限りどのようにでも実施することができる。
【産業上の利用可能性】
【００２３】
携帯電話や各種モニター等のガラスディスプレイ板を備える各種家電製品において、メーカー名や製品名などを装飾部に表示させて視覚的に大きな印象を与えることができる。
【図面の簡単な説明】
【００２４】
【図１】（ａ）実施例における第一の工程の一例を示す平面図、（ｂ）その断面図、（ｃ）第二の工程の一例を示す断面図、（ｄ）第四の工程の一例を示す断面図、（ｅ）形成されたガラスディスプレイ板を示す断面図である。
【符号の説明】
【００２５】
１  ガラスディスプレイ板
２  装飾部
３  画像表示部
４  黒枠印刷
５  透明インキ
６  ホットスタンプ機
７  ホログラム層
【図１】
2008116712.tif 000003